(57)【要約】【課題】温調マット展開時に該温調マットの折りを解くように基板を広げる回数が少ない温調マットの折り畳み体を提供する。【解決手段】床暖房マット１は、基板Ａ〜Ｃがこの順に一列に配列され、基板Ｄ〜Ｆがこの順に、且つ基板Ａ〜Ｃに隣接するように一列に配列されてなる。基板Ｅ，Ｄ，Ａ，Ｂに連続して引き回された第１の温水配管３を介して基板Ｅ，Ｄ同士、基板Ｄ，Ａ同士及び基板Ａ，Ｂ同士が連結されていると共に、基板Ｅ，Ｆ，Ｃ，Ｂに連続して引き回された第２の温水配管３を介して基板Ｅ，Ｆ同士、基板Ｆ，Ｃ同士及び基板Ｃ，Ｂ同士が連結されている。床暖房マット１を折り畳む場合、基板Ａ，Ｂ間、基板Ｄ，Ｅ間、基板Ｂ，Ｃ間及び基板Ｅ，Ｆ間をそれぞれ谷折りし、次いで、該基板Ａ，Ｄ間及び基板Ｃ，Ｆ間を山折りする。【選択図】図１
2008309376.tif 000002
【特許請求の範囲】
【請求項１】
上面に配管収容用の溝が設けられた略方形状の６枚の基板と、
該溝に収容された温調用配管と、
各基板の上面を覆うように配置され、各基板の上面に付着された均熱シートと
を有し、
該基板同士の突き合わせ部に沿って折り畳まれた温調マットの折り畳み体において、
６枚の前記基板Ａ〜Ｆは、
基板Ａ，Ｂ，Ｃがこの順に一列に配列され、
基板Ｄ，Ｅ，Ｆがこの順に、且つ基板Ｄが基板Ａに隣接し、基板Ｅが基板Ｂに隣接し、基板Ｆが基板Ｃに隣接するように配列されており、
基板Ａ，Ｂ同士、基板Ｂ，Ｃ同士、基板Ｄ，Ｅ同士、基板Ｅ，Ｆ同士、基板Ａ，Ｄ同士、及び基板Ｃ，Ｆ同士の間で、それぞれ、双方の基板に跨って連続して前記温調用配管が引き回されており、これにより、これらの基板Ａ，Ｂ同士、基板Ｂ，Ｃ同士、基板Ｄ，Ｅ同士、基板Ｅ，Ｆ同士、基板Ａ，Ｄ同士及び基板Ｃ，Ｆ同士がそれぞれ該温調用配管を介して連結されており、
基板Ａが基板Ｂにのみ重なり、且つ基板Ｃが基板Ｂにのみ重なるように基板Ａ，Ｂ間及び基板Ｂ，Ｃ間がそれぞれ谷折りされると共に、基板Ｄが基板Ｅにのみ重なり、且つ基板Ｆが基板Ｅにのみ重なるように基板Ｄ，Ｅ間及び基板Ｅ，Ｆ間がそれぞれ谷折りされることにより１次折り畳み体とされ、
この１次折り畳み体の基板Ａ，Ｄ間及び基板Ｃ，Ｆ間がそれぞれ山折りされて形成されたことを特徴とする温調マットの折り畳み体。
【請求項２】
上面に配管収容用の溝が設けられた略方形状の６枚の基板と、
該溝に収容された温調用配管と、
各基板の上面を覆うように配置され、各基板の上面に付着された均熱シートと
を有し、
該基板同士の突き合わせ部に沿って折り畳まれた温調マットの折り畳み体において、
６枚の前記基板Ａ〜Ｆは、
基板Ａ，Ｂ，Ｃがこの順に一列に配列され、
基板Ｄ，Ｅ，Ｆがこの順に、且つ基板Ｄが基板Ａに隣接し、基板Ｅが基板Ｂに隣接し、基板Ｆが基板Ｃに隣接するように配列されており、
基板Ａ，Ｂ同士、基板Ｂ，Ｃ同士、基板Ｄ，Ｅ同士、基板Ｅ，Ｆ同士、基板Ａ，Ｄ同士、及び基板Ｃ，Ｆ同士の間で、それぞれ、双方の基板に跨って連続して前記温調用配管が引き回されており、これにより、これらの基板Ａ，Ｂ同士、基板Ｂ，Ｃ同士、基板Ｄ，Ｅ同士、基板Ｅ，Ｆ同士、基板Ａ，Ｄ同士及び基板Ｃ，Ｆ同士がそれぞれ該温調用配管を介して連結されており、
基板Ａが基板Ｂにのみ重なり、且つ基板Ｃが基板Ｂにのみ重なるように基板Ａ，Ｂ間及び基板Ｂ，Ｃ間がそれぞれ山折りされると共に、基板Ｄが基板Ｅにのみ重なり、且つ基板Ｆが基板Ｅにのみ重なるように基板Ｄ，Ｅ間及び基板Ｅ，Ｆ間がそれぞれ山折りされることにより１次折り畳み体とされ、
この１次折り畳み体の基板Ａ，Ｄ間及び基板Ｃ，Ｆ間がそれぞれ谷折りされて形成されたことを特徴とする温調マットの折り畳み体。
【請求項３】
請求項１又は２において、前記基板Ｅに温調媒体供給用のヘッダーが設けられており、
該ヘッダーに連なる第１の温調用配管が、基板Ｅ，Ｄ，Ａ，Ｂに連続して配設され、第２の温調用配管が、基板Ｅ，Ｆ，Ｃ，Ｂに連続して配設されていることを特徴とする温調マットの折り畳み体。
【発明の詳細な説明】
【技術分野】
【０００１】
本発明は、建物の室の床、壁、天井等の暖房や冷房を行うための温調マットを折り畳んでなる折り畳み体に係り、特に、６枚の基板を有する温調マットの折り畳み体に関する。
【０００２】
なお、以下の説明において、温調マットの上面とは、該温調マットを床上に展開したときの上面をいい、温調マットの下面とは、該温調マットを床上に展開したときの下面をいう。
【０００３】
本発明において、温調マットを山折りするとは、折り部が温調マットの展開時の上面側に凸となるように折ることをいい、温調マットを谷折りするとは、折り部が温調マットの展開時の下面側に凸となるように折ることをいう。
【背景技術】
【０００４】
床暖房構造として、板状のベースの上面の溝に温水配管を引き回した温水マットがある。
【０００５】
この温水マットとして、折り重ねる如く折り畳んだものが実用化されている。温水マットを折り畳むことにより、運搬時等の取り扱い性が良好なものとなる。
【０００６】
この折り畳み体の従来例として、特開２００２−１０６８６５号公報の００３０段落及び図７に記載のものがある。
【０００７】
同号公報の平面放熱パネルは、ベース部分を構成する基体パネルがその横方向の中央付近で二分されており、且つこの二分された各基体パネルは、各々をその縦方向において一端側、中央側及び他端側に略三等分する位置で折り畳み可能となっている。この二分された基体パネル同士は、各々の縦方向の一端側において、ヒンジ部を介して屈曲可能に連結されている。
【０００８】
同号公報の平面放熱パネルを折り畳む場合には、この二分された各基体パネルを、各々の縦方向の前記他端側と中間側との間で山折りし、且つ該中間側と前記一端側との間で谷折りすることにより、それぞれ３枚重ね状に折り畳み、その後、各基体パネルの下面同士を対面させるようにヒンジ部を谷折りして、同号公報の図７に示される折り畳み体とする。
【特許文献１】特開２００２−１０６８６５号公報
【発明の開示】
【発明が解決しようとする課題】
【０００９】
上記特開２００２−１０６８６５号公報では、平面放熱パネルは、基体パネルが全部で５回折り曲げられて折り畳み体とされている。従って、この平面放熱パネルの折り畳み体を展開させる場合にも、全部で５回、各折り部の折りを解くように基体パネルを広げる必要があり、展開に手間が掛かる。
【００１０】
本発明は、このような従来技術の問題点を解消し、基板を広げる作業を３回行うだけで温調マットの展開が完了する温調マットの折り畳み体を提供することを目的とする。
【課題を解決するための手段】
【００１１】
請求項１の温調マットの折り畳み体は、上面に配管収容用の溝が設けられた略方形状の６枚の基板と、該溝に収容された温調用配管と、各基板の上面を覆うように配置され、各基板の上面に付着された均熱シートとを有し、該基板同士の突き合わせ部に沿って折り畳まれた温調マットの折り畳み体において、６枚の前記基板Ａ〜Ｆは、基板Ａ，Ｂ，Ｃがこの順に一列に配列され、基板Ｄ，Ｅ，Ｆがこの順に、且つ基板Ｄが基板Ａに隣接し、基板Ｅが基板Ｂに隣接し、基板Ｆが基板Ｃに隣接するように配列されており、基板Ａ，Ｂ同士、基板Ｂ，Ｃ同士、基板Ｄ，Ｅ同士、基板Ｅ，Ｆ同士、基板Ａ，Ｄ同士、及び基板Ｃ，Ｆ同士の間で、それぞれ、双方の基板に跨って連続して前記温調用配管が引き回されており、これにより、これらの基板Ａ，Ｂ同士、基板Ｂ，Ｃ同士、基板Ｄ，Ｅ同士、基板Ｅ，Ｆ同士、基板Ａ，Ｄ同士及び基板Ｃ，Ｆ同士がそれぞれ該温調用配管を介して連結されており、基板Ａが基板Ｂにのみ重なり、且つ基板Ｃが基板Ｂにのみ重なるように基板Ａ，Ｂ間及び基板Ｂ，Ｃ間がそれぞれ谷折りされると共に、基板Ｄが基板Ｅにのみ重なり、且つ基板Ｆが基板Ｅにのみ重なるように基板Ｄ，Ｅ間及び基板Ｅ，Ｆ間がそれぞれ谷折りされることにより１次折り畳み体とされ、この１次折り畳み体の基板Ａ，Ｄ間及び基板Ｃ，Ｆ間がそれぞれ山折りされて形成されたことを特徴とするものである。
【００１２】
請求項２の温調マットの折り畳み体は、上面に配管収容用の溝が設けられた略方形状の６枚の基板と、該溝に収容された温調用配管と、各基板の上面を覆うように配置され、各基板の上面に付着された均熱シートとを有し、該基板同士の突き合わせ部に沿って折り畳まれた温調マットの折り畳み体において、６枚の前記基板Ａ〜Ｆは、基板Ａ，Ｂ，Ｃがこの順に一列に配列され、基板Ｄ，Ｅ，Ｆがこの順に、且つ基板Ｄが基板Ａに隣接し、基板Ｅが基板Ｂに隣接し、基板Ｆが基板Ｃに隣接するように配列されており、基板Ａ，Ｂ同士、基板Ｂ，Ｃ同士、基板Ｄ，Ｅ同士、基板Ｅ，Ｆ同士、基板Ａ，Ｄ同士、及び基板Ｃ，Ｆ同士の間で、それぞれ、双方の基板に跨って連続して前記温調用配管が引き回されており、これにより、これらの基板Ａ，Ｂ同士、基板Ｂ，Ｃ同士、基板Ｄ，Ｅ同士、基板Ｅ，Ｆ同士、基板Ａ，Ｄ同士及び基板Ｃ，Ｆ同士がそれぞれ該温調用配管を介して連結されており、基板Ａが基板Ｂにのみ重なり、且つ基板Ｃが基板Ｂにのみ重なるように基板Ａ，Ｂ間及び基板Ｂ，Ｃ間がそれぞれ山折りされると共に、基板Ｄが基板Ｅにのみ重なり、且つ基板Ｆが基板Ｅにのみ重なるように基板Ｄ，Ｅ間及び基板Ｅ，Ｆ間がそれぞれ山折りされることにより１次折り畳み体とされ、この１次折り畳み体の基板Ａ，Ｄ間及び基板Ｃ，Ｆ間がそれぞれ谷折りされて形成されたことを特徴とするものである。
【００１３】
請求項３の温調マットの折り畳み体は、請求項１又は２において、前記基板Ｅに温調媒体供給用のヘッダーが設けられており、該ヘッダーに連なる第１の温調用配管が、基板Ｅ，Ｄ，Ａ，Ｂに連続して配設され、第２の温調用配管が、基板Ｅ，Ｆ，Ｃ，Ｂに連続して配設されていることを特徴とするものである。
【発明の効果】
【００１４】
請求項１の温調マットの折り畳み体では、６枚の基板Ａ〜Ｆのうち基板Ａ〜Ｃが一列に配列され、これに隣接して基板Ｄ〜Ｆが一列に配列されている。基板Ａ，Ｂ同士、基板Ｂ，Ｃ同士、基板Ｄ，Ｅ同士、基板Ｅ，Ｆ同士、基板Ａ，Ｄ同士、及び基板Ｃ，Ｆ同士の間では、それぞれ、双方の基板に跨って連続して温調用配管が引き回されており、これにより、これらの基板Ａ，Ｂ同士、基板Ｂ，Ｃ同士、基板Ｄ，Ｅ同士、基板Ｅ，Ｆ同士、基板Ａ，Ｄ同士及び基板Ｃ，Ｆ同士がそれぞれ該温調用配管を介して連結されている。
【００１５】
そして、基板Ａ，Ｂ間、基板Ｂ，Ｃ間、基板Ｄ，Ｅ間及び基板Ｅ，Ｆ間がそれぞれ谷折りされることにより１次折り畳み体とされ、この１次折り畳み体の基板Ａ，Ｄ間及び基板Ｃ，Ｆ間がそれぞれ山折りされて最終折り畳み形状の折り畳み体とされている。
【００１６】
この請求項１の温調マットの折り畳み体を展開する場合には、まず、基板Ｂに基板Ａ，Ｄが折り重なったものと、基板Ｅに基板Ｃ，Ｆが折り重なったものとを、これらの基板Ａ，Ｄ間及び基板Ｃ，Ｆ間の山折りを解く方向に広げる。次いで、基板Ｂ上から、基板Ａ，Ｂ間及び基板Ｂ，Ｃ間の谷折りを解く方向に、該基板Ａ，Ｄを広げると共に、基板Ｅ上から、基板Ｄ，Ｅ間及び基板Ｅ，Ｆ間の谷折りを解く方向に、該基板Ｄ，Ｆを広げる。この際、基板Ａ，Ｄ同士は温調用配管を介して連結されているので、これらの基板Ａ，Ｄを一緒に（１工程にて）広げることができる。また、基板Ｃ，Ｆ同士も温調用配管を介して連結されているので、これらの基板Ｃ，Ｆも一緒に（１工程にて）広げることができる。
【００１７】
このように、請求項１の温調マットの折り畳み体にあっては、全部で３回、各基板Ａ〜Ｆ間の折りを解くように各基板Ａ〜Ｆを広げるだけで、温調マットの展開が完了する。そのため、この温調マットの敷設作業を容易に行うことができる。
【００１８】
なお、この請求項１の温調マットの折り畳み体にあっては、基板Ａ，Ｂ間及び基板Ｂ，Ｃ間の谷折りにより、基板Ａ，Ｃは、各々の上面を基板Ｂの上面と向い合わせて該基板Ｂに重なり合った状態となっている。また、基板Ｄ，Ｅ間及び基板Ｅ，Ｆ間の谷折りにより、基板Ｄ，Ｆも、各々の上面を基板Ｅの上面に向い合わせて該基板Ｅに重なり合った状態となっている。さらに、基板Ａ，Ｄ間及び基板Ｃ，Ｆ間の山折りにより、該基板Ａ，Ｄ同士及び基板Ｃ，Ｆ同士が各々の下面同士を向い合わせて重なり合った状態となっていると共に、該基板Ａ，Ｄ同士が折り重なったものと、該基板Ｃ，Ｆ同士が折り重なったものとを挟んで、基板Ｂ，Ｅが各々の上面側を向い合わせて対面した状態となっている。
【００１９】
従って、この折り畳み体を床上に置いた状態で展開を開始すると、必ず、次に広げる基板の下面がこの折り畳み体の上側に露呈するようになる。そのため、各基板の下面に接着材又は粘着材を塗る度に各基板を広げるようにして施工することができる。これにより、温調マットの敷設作業を効率よく行うことが可能である。
【００２０】
請求項２の温調マットの折り畳み体でも、６枚の基板Ａ〜Ｆのうち基板Ａ〜Ｃが一列に配列され、これに隣接して基板Ｄ〜Ｆが一列に配列されている。基板Ａ，Ｂ同士、基板Ｂ，Ｃ同士、基板Ｄ，Ｅ同士、基板Ｅ，Ｆ同士、基板Ａ，Ｄ同士、及び基板Ｃ，Ｆ同士の間で、それぞれ、双方の基板に跨って連続して温調用配管が引き回されており、これにより、これらの基板Ａ，Ｂ同士、基板Ｂ，Ｃ同士、基板Ｄ，Ｅ同士、基板Ｅ，Ｆ同士、基板Ａ，Ｄ同士及び基板Ｃ，Ｆ同士がそれぞれ該温調用配管を介して連結されている。
【００２１】
そして、基板Ａ，Ｂ間、基板Ｂ，Ｃ間、基板Ｄ，Ｅ間及び基板Ｅ，Ｆ間がそれぞれ山折りされることにより１次折り畳み体とされ、この１次折り畳み体の基板Ａ，Ｄ間及び基板Ｃ，Ｆ間がそれぞれ谷折りされて最終折り畳み形状の折り畳み体とされている。
【００２２】
この請求項２の温調マットの折り畳み体を展開する場合には、まず、基板Ｂに基板Ａ，Ｄが折り重なったものと、基板Ｅに基板Ｃ，Ｆが折り重なったものとを、これらの基板Ａ，Ｄ間及び基板Ｃ，Ｆ間の谷折りを解く方向に広げる。次いで、基板Ｂの下面側から、基板Ａ，Ｂ間及び基板Ｂ，Ｃ間の山折りを解く方向に、該基板Ａ，Ｄを広げると共に、基板Ｅの下面側から、基板Ｄ，Ｅ間及び基板Ｅ，Ｆ間の谷折りを解く方向に、該基板Ｄ，Ｆを広げる。この際、基板Ａ，Ｄ同士は温調用配管を介して連結されているので、これらの基板Ａと基板Ｄとを一緒に（１工程にて）広げることができる。また、基板Ｃ，Ｆ同士も温調用配管を介して連結されているので、これらの基板Ｃと基板Ｆとも一緒に（１工程にて）広げることができる。
【００２３】
このように、請求項２の温調マットの折り畳み体にあっても、全部で３回、各基板Ａ〜Ｆ間の折りを解くように各基板Ａ〜Ｆを広げるだけで、温調マットの展開が完了する。そのため、この温調マットの敷設作業を容易に行うことができる。
【００２４】
本発明においては、基板Ｅに温調媒体供給用のヘッダーを設けると共に、このヘッダーに連なる第１の温調用配管を基板Ｅ，Ｄ，Ａ，Ｂに連続して配設し、第２の温調用配管を基板Ｅ，Ｆ，Ｃ，Ｂに連続して配設した構成とすることにより、各温調用配管の引き回しを容易に行うことができると共に、温調マット全体の温度を略均等にすることができる。
【発明を実施するための最良の形態】
【００２５】
以下、図面を参照して実施の形態について説明する。以下の各実施の形態は、床暖房マットへの本発明の適用例である。なお、以下の各実施の形態は本発明の一例であり、本発明は以下の各実施の形態以外の形態をもとりうる。
【００２６】
［第１の実施の形態に係る温調マットの折り畳み体としての床暖房マット１の折り畳み体］
第１図は第１の実施の形態に係る温調マットの折り畳み体としての床暖房マット１の折り畳み体の斜視図、第２図は第１図のII方向から見た折り畳み体の斜視図、第３図はこの床暖房マット１の展開時の斜視図、第４図はこの展開した床暖房マット１の上面図、第５図はこの展開した床暖房マット１の下面図、第６図は第４図のVI−VI線に沿う断面図、第７図は第４図のVII部分の拡大図、第８図は第７図のVIII部分の拡大図、第９図は第８図のIX−IX線に沿う断面図、第１０図は第４図のＸ部分の拡大図、第１１図は第１０図のXI−XI線に沿う断面図、第１２図〜第１４図はそれぞれこの床暖房マット１の折り畳み途中時の斜視図である。
【００２７】
なお、第９図（ａ）は基板Ａ，Ｄ同士を展開した状態を示し、第９図（ｂ）は基板Ａ，Ｄ間を山折りする途中の状態を示し、第９図（ｃ）は基板Ａ，Ｄ間を山折りした後の状態を示している。また、第１１図（ａ）は基板Ａ，Ｂ同士を展開した状態を示し、第１１図（ｂ）は基板Ａ，Ｂ間を谷折りする途中の状態を示し、第１１図（ｃ）は基板Ａ，Ｂ間を谷折りした後の状態を示している。
【００２８】
第４図、第７図、第８図及び第１０図では均熱シートの図示が省略されている。また、第８図及び第１０図では、温水配管の図示も省略されている。
【００２９】
この床暖房マット１は、略長方形状の６枚の基板Ａ〜Ｆと、各基板Ａ〜Ｆの上面に設けられた溝２に配材された温水配管３と、該温水配管３が連なるヘッダー４と、各基板Ａ〜Ｆの上面を覆うように配置され、各基板Ａ〜Ｆの上面に付着された均熱シート５，６等を備えている。
【００３０】
この実施の形態では、基板Ｂ，Ｅは、互いの長辺の長さ及び互いの短辺の長さがそれぞれ略等しいものとなっている。また、基板Ａ，Ｃ，Ｄ，Ｆも、互いの長辺の長さ及び互いの短辺の長さがそれぞれ略等しいものとなっている。これらの基板Ａ，Ｃ，Ｄ，Ｆの長辺の長さは、基板Ｂ，Ｅの短辺の長さと略等しくなっている。この床暖房マット１においては、各基板Ａ，Ｃ，Ｄ，Ｆの短辺の長さは、基板Ｂ，Ｅの長辺の長さの半分よりも短い。
【００３１】
第３〜５図の通り、基板Ａ〜Ｃがこの順に一列に配列され、基板Ｄ〜Ｆがこの順に、且つ該基板Ａ〜Ｃに隣接するように一列に配列されている。
【００３２】
基板Ａは、その長辺を基板Ｂの一方の短辺に突き合わせるようにして配置され、基板Ｃは、その長辺を基板Ｂの他方の短辺に突き合わせるようにして配置されている。また、基板Ｄは、その長辺を基板Ｅの一方の短辺に突き合わせるようにして配置され、基板Ｆは、その長辺を基板Ｅの他方の短辺に突き合わせるようにして配置されている。基板Ａ〜Ｃの列と基板Ｄ〜Ｆの列との間では、基板Ａ，Ｄが互いの短辺同士を突き合わせるようにして隣接し、基板Ｂ，Ｅが互いの長辺同士を突き合わせるようにして隣接し、基板Ｃ，Ｆが互いの短辺同士を突き合わせるようにして隣接している。
【００３３】
符号ＴＡＢは、基板Ａ，Ｂ同士の突き合わせ部を示し、符号ＴＢＣは、基板Ｂ，Ｃ同士の突き合わせ部を示し、符号ＴＤＥは、基板Ｄ，Ｅ同士の突き合わせ部を示し、符号ＴＥＦは、基板Ｅ，Ｆ同士の突き合わせ部を示し、符号ＴＡＤは、基板Ａ，Ｄ同士の突き合わせ部を示し、符号ＴＢＥは、基板Ｂ，Ｅ同士の突き合わせ部を示し、符号ＴＣＦは、基板Ｃ，Ｆ同士の突き合わせ部を示している。
【００３４】
なお、この実施の形態では、基板Ａ，Ｄの下面同士が、これらの突き合わせ部ＴＡＤを跨いで双方の下面に連続して貼り付けられた屈曲可能な連結シート７（第９図）により連結されている。また、図示は省略するが、基板Ｃ，Ｆの下面同士も、これらの突き合わせ部ＴＣＦを跨いで双方の下面に連続して貼り付けられた屈曲可能な連結シート７により連結されている。この連結シート７は、柔軟に屈曲可能な布又は合成樹脂シート等よりなる。
【００３５】
この実施の形態では、基板Ｂ，Ｅは、それぞれ、複数枚（この実施の形態では７枚）の帯状の盤体１０〜１６と、複数本（この実施の形態では６本）の小根太３０とを、各々の長手方向を各基板Ｂ，Ｅの短辺方向として、各基板Ｂ，Ｅの長辺方向に交互に配列した如き構成となっている。
【００３６】
また、基板Ａ，Ｃ，Ｄ，Ｆは、それぞれ、複数枚（この実施の形態では３枚）の帯状の盤体１７〜１９と、複数本（この実施の形態では２本）の小根太３０とを、各々の長手方向を各基板Ａ，Ｃ，Ｄ，Ｆの長辺方向として、各基板Ａ，Ｃ，Ｄ，Ｆの短辺方向に交互に配列した如き構成となっている。
【００３７】
各盤体１０〜１９は、各々の長側辺を隣接する小根太３０に突き合わせるようにして配置されている。
【００３８】
基板Ｂの盤体１２，１３同士の間の小根太３０’を除いて、各小根太３０の長さは、各盤体１０〜１９の長さよりも短い。
【００３９】
第４，５図の通り、基板Ｂにおいては、盤体１０，１１同士の間及び盤体１４，１５同士の間の各小根太３０は、それぞれ、一端を各盤体１０〜１６の一端に揃えるようにして配置されている。また、盤体１１，１２同士の間、盤体１３，１４同士の間及び盤体１５，１６同士の間の各小根太３０は、それぞれ、他端を各盤体１０〜１６の他端に揃えるようにして配置されている。盤体１２，１３同士の間の小根太３０’は、該盤体１２，１３と同じ長さとなっており、両端を該盤体１２，１３の両端に揃えるようにして配置されている。
【００４０】
盤体１０，１１同士及び盤体１４，１５同士は、各々の間の小根太３０の前記他端側を回り込むように形成された連結部３１によって連結されている。また、盤体１１，１２同士、盤体１３，１４同士及び盤体１５，１６同士は、各々の間の小根太３０の前記一端側を回り込むように形成された連結部３１によって連結されている。この基板Ｂの盤体１２，１３同士の間には、連結部３１は存在しない。
【００４１】
基板Ｅにおいては、盤体１０，１１同士の間、盤体１２，１３同士の間及び盤体１４，１５同士の間の各小根太３０は、それぞれ、一端を各盤体１０〜１６の一端に揃えるようにして配置されている。また、盤体１１，１２同士の間、盤体１３，１４同士の間及び盤体１５，１６同士の間の各小根太３０は、それぞれ、他端を各盤体１０〜１６の他端に揃えるようにして配置されている。
【００４２】
この基板Ｅにおいても、盤体１０，１１同士、盤体１２，１３同士及び盤体１４，１５同士は、各々の間の小根太３０の前記他端側を回り込むように形成された連結部３１によって連結されている。また、盤体１１，１２同士、盤体１３，１４同士及び盤体１５，１６同士は、各々の間の小根太３０の前記一端側を回り込むように形成された連結部３１によって連結されている。
【００４３】
基板Ａ，Ｃ，Ｄ，Ｆにおいては、盤体１７，１８同士の間の小根太３０は、それぞれ、一端を該盤体１７，１８の一端に揃えるようにして配置され、盤体１８，１９同士の間の小根太３０は、それぞれ、他端を該盤体１７，１８の他端に揃えるようにして配置されている。
【００４４】
これらの基板Ａ，Ｃ，Ｄ，Ｆにおいても、盤体１７，１８同士は、各々の間の小根太３０の前記他端側を回り込むように形成された連結部３１によって連結されている。また、盤体１８，１９同士は、各々の間の小根太３０の前記一端側を回り込むように形成された連結部３１によって連結されている。
【００４５】
各基板Ａ〜Ｆにおいて、各連結部３１の小根太３０と反対側には、小小根太３２が取り付けられている。
【００４６】
第４，５図の通り、基板Ａ，Ｄは、それぞれ、盤体１９を基板Ｂ，Ｅの盤体１０に突き合わせるようにして配置されている。また、基板Ｃ，Ｆは、それぞれ、第４，５図における上下の向きを基板Ａ，Ｄと逆にして、盤体１９を基板Ｂ，Ｅの盤体１６に突き合わせるようにして配置されている。
【００４７】
なお、基板Ａ，Ｄ同士の間、基板Ｂ，Ｅ同士の間及び基板Ｃ，Ｆ同士の間においては、それぞれ、床暖房マット１を展開したときに、これらの突き合わせ部ＴＡＤ，ＴＢＥ，ＴＣＦを挟んで、同じ符号の盤体１０〜１９の端辺同士が対向する。
【００４８】
この実施の形態では、基板Ｅの長辺方向の中間付近に位置する盤体１２の、基板Ｂと反対側の端部付近に、ヘッダー配置用の切欠き部１２ａ（第５図）が設けられている。基板Ｅの盤体１２，１３同士の間の連結部３１’は、一端側が該盤体１３に連なり、他端側がこの切欠き部１２ａに臨んでいる。この切欠き部１２ａ内に前記ヘッダー４が配置されている。第５図の符号１２ｂは、この切欠き部１２ａ内にヘッダー４を固定するためのスペーサを示している。
【００４９】
各盤体１０〜１９の上面には、それぞれ、４条の配管収容用の溝２が延設されている。
【００５０】
連結部３１によって連結された盤体１０〜１２同士の間、盤体１３〜１６同士の間、並びに盤体１７〜１９同士の間においては、これらの溝２同士が該連結部３１を通って連続している。
【００５１】
基板Ａの盤体１７においては、各溝２の基板Ｄ側の端部は、それぞれ、該盤体１７の該基板Ｄ側の端辺に臨んでおり、基板Ｄの盤体１７においては、各溝２の基板Ａ側の端部は、それぞれ、該盤体１７の該基板Ａ側の端辺に臨んでいる。
【００５２】
第８図に示すように、基板Ａの盤体１７においては、各溝２が該盤体１７の基板Ｄ側の端部付近で円弧状に湾曲しており、各溝２の端部は、該盤体１７の基板Ｄ側の端辺に沿って延在している。また、基板Ｄの盤体１７においても、各溝２が該盤体１７の基板Ａ側の端部付近で円弧状に湾曲しており、各溝２の端部は、該盤体１７の基板Ａ側の端辺に沿って延在している。なお、基板Ａ側の各溝２と、基板Ｄ側の各溝２とは、互いに反対側に向って凸となる円弧形状を呈するように湾曲している。
【００５３】
床暖房マット１を展開した状態においては、基板Ａ側の盤体１７の各溝２の端部と、基板Ｄ側の盤体１７の各溝２の端部とがそれぞれ対面する。これにより、各溝２が基板Ａ，Ｄ同士の突き合わせ部ＴＡＤを跨いで基板Ａから基板Ｄに連続して延在したものとなる。この実施の形態では、第８図の通り、各溝２は、基板Ａから基板Ｄにかけて略Ｓ字形を呈するように連続する。
【００５４】
各溝２の端部は盤体１７の端辺に沿って延在しているので、これらの溝２の端部同士が対面することにより、基板Ａ，Ｄ同士の突き合わせ部ＴＡＤを跨ぎ、且つ該突き合わせ部ＴＡＤに沿って延在する溝２’（第８図）が形成される。第８図の通り、盤体１７の端辺からの各溝２の端部の幅Ｗ１は、各溝２の他の部分の幅Ｗ２の半分かそれよりも若干大きなものとなっている。従って、これらの溝２の端部同士が対面することにより形成される溝２’の幅２Ｗ１は、各溝２の他の部分の幅Ｗ２と略同等の大きさとなる。
【００５５】
温水配管３は、この溝２’に収容されるようにして、基板Ａ，Ｄ同士の突き合わせ部ＴＡＤを跨いで該基板Ａから基板Ｄに連続して引き回されている。
【００５６】
なお、第８図では、各溝２は突き合わせ部ＴＡＤを跨いで基板Ａから基板Ｄにかけて略Ｓ字形を呈しているが、他の形態として、溝２は、突き合わせ部ＴＡＤを、該突き合わせ部ＴＡＤの延在方向と略交叉方向に跨いでもよく、あるいは、該突き合わせ部ＴＡＤの延在方向に対し斜め方向に略直線状に跨いでもよい。
【００５７】
詳しい図示は省略するが、基板Ｃの盤体１７と基板Ｆの盤体１７との間にも、それぞれ、これらの基板Ｃ，Ｆ同士の突き合わせ部ＴＣＦを跨ぎ、且つ該突き合わせ部ＴＣＦに沿って延在する溝２’が形成されており、この溝２’に収容されるようにして、それぞれ該突き合わせ部ＴＣＦを跨いで基板Ｃから基板Ｆに連続して温水配管３が引き回されている。
【００５８】
第１０図に示すように、基板Ａの盤体１９においては、各溝２の端部が、該盤体１９の基板Ｂ側の長側辺に臨んでおり、且つこの長側辺に沿って延在している。また、この基板Ａの盤体１９と隣接する基板Ｂの盤体１０においては、各溝２の端部が、該盤体１０の基板Ａ側の長側辺に臨んでおり、且つこの長側辺に沿って延在している。
【００５９】
床暖房マット１を展開した状態においては、基板Ａの盤体１９の各溝２の端部と、基板Ｂの盤体１０の各溝２の端部とがそれぞれ対面する。これにより、基板Ａ，Ｂ間においても、各溝２がこれらの突き合わせ部ＴＡＢを跨いで盤体１９から盤体１０に連続して延在したものとなる。
【００６０】
この基板Ａ，Ｂ間においても、各溝２の端部は盤体１０，１９の長側辺に沿って延在しているので、これらの溝２の端部同士が対面することにより、該基板Ａ，Ｂ同士の突き合わせ部ＴＡＢを跨ぎ、且つ該突き合わせ部ＴＡＢに沿って延在する溝２’（第１０図）が形成される。この基板Ａ，Ｂ間においても、各溝２は、該溝２’を介して盤体１０から盤体１９にかけて略Ｓ字形を呈するように連続する。
【００６１】
なお、第１０図の通り、前述の第７図における基板Ａ，Ｄ同士の突き合わせ部ＴＡＤを跨ぐ溝２’と同様、これらの基板Ａ，Ｂ同士の突き合わせ部ＴＡＢを跨ぐ溝２’の幅２Ｗ１も、各溝２の他の部分Ｗ２の幅と略同等の大きさとなる。
【００６２】
温水配管３は、この溝２’に収容されるようにして、基板Ａ，Ｂ同士の突き合わせ部ＴＡＢを跨いで該基板Ａから基板Ｂに連続して引き回されている。
【００６３】
詳しい図示は省略するが、基板Ｂの盤体１６と基板Ｃの盤体１９との間、基板Ｄの盤体１９と基板Ｅの盤体１０との間、並びに基板Ｅの盤体１６と基板Ｆの盤体１９との間にも、それぞれ、これらの基板同士の突き合わせ部ＴＢＣ，ＴＤＥ，ＴＥＦを跨ぎ、且つこれらの突き合わせ部ＴＢＣ，ＴＤＥ，ＴＥＦに沿って延在する溝２’が形成されている。そして、この溝２’に収容されるようにして、突き合わせ部ＴＢＣを跨いで基板Ｂから基板Ｃに連続して温水配管３が引き回され、突き合わせ部ＴＤＥを跨いで基板Ｄから基板Ｅに連続して温水配管３が引き回され、突き合わせ部ＴＥＦを跨いで基板Ｅから基板Ｆに連続して温水配管３が引き回されている。
【００６４】
第４図の通り、この実施の形態では、ヘッダー４から基板Ｅの盤体１２側と盤体１３側とに、それぞれ１対（即ち２系統）の温水配管３が引き回されている。
【００６５】
ヘッダー４から基板Ｅの盤体１２側に引き回された１対の温水配管３（以下、「第１の温水配管」ということがある。）は、互いに平行に、この基板Ｅの盤体１２から各連結部３１を通って該基板Ｅの盤体１１，１０に連続して引き回され、次いで基板Ｄ，Ｅ同士の突き合わせ部ＴＤＥを跨いで基板Ｅの盤体１０から基板Ｄの盤体１９に連続して引き回され、この基板Ｄにおいて、各連結部３１を通って基板１９，１８，１７に連続して引き回され、次いで基板Ａ，Ｄ同士の突き合わせ部ＴＡＤを跨いで基板Ｄの盤体１７から基板Ａの盤体１７に連続して引き回され、この基板Ａにおいて、各連結部３１を通って基板１７，１８，１９に連続して引き回され、次いで基板Ａ，Ｂ同士の突き合わせ部ＴＡＢを跨いで基板Ａの盤体１９から基板Ｂの盤体１０に連続して引き回され、この基板Ｂにおいて、各連結部３１を通って基板１０，１１，１２に連続して引き回されている。
【００６６】
そして、これらの第１の温水配管３は、基板Ｂの盤体１２でＵターンして、さらに、この基板Ｂの盤体１２から各連結部３１を通って該基板Ｂの盤体１１，１０に連続して引き回され、次いで基板Ａ，Ｂ同士の突き合わせ部ＴＡＢを跨いで基板Ｂの盤体１０から基板Ａの盤体１９に連続して引き回され、この基板Ａにおいて、各連結部３１を通って基板１９，１８，１７に連続して引き回され、次いで基板Ａ，Ｄ同士の突き合わせ部ＴＡＤを跨いで基板Ａの盤体１７から基板Ｄの盤体１７に連続して引き回され、この基板Ｄにおいて、各連結部３１を通って基板１７，１８，１９に連続して引き回され、次いで基板Ｄ，Ｅ同士の突き合わせ部ＴＤＥを跨いで基板Ｄの盤体１９から基板Ｅの盤体１０に連続して引き回され、この基板Ｅにおいて、各連結部３１を通って基板１０，１１，１２に連続して引き回され、終端がそれぞれヘッダー４に接続されている。
【００６７】
ヘッダー４から基板Ｅの盤体１３側に引き回された１対の温水配管３（以下、「第２の温水配管」ということがある。）は、互いに平行に、この基板Ｅの盤体１３から各連結部３１を通って該基板Ｅの盤体１４，１５，１６に連続して引き回され、次いで基板Ｅ，Ｆ同士の突き合わせ部ＴＥＦを跨いで基板Ｅの盤体１６から基板Ｆの盤体１９に連続して引き回され、この基板Ｆにおいて、各連結部３１を通って基板１９，１８，１７に連続して引き回され、次いで基板Ｃ，Ｆ同士の突き合わせ部ＴＣＦを跨いで基板Ｆの盤体１７から基板Ｃの盤体１７に連続して引き回され、この基板Ｃにおいて、各連結部３１を通って基板１７，１８，１９に連続して引き回され、次いで基板Ｂ，Ｃ同士の突き合わせ部ＴＢＣを跨いで基板Ｃの盤体１９から基板Ｂの盤体１６に連続して引き回され、この基板Ｂにおいて、各連結部３１を通って基板１６，１５，１４，１３に連続して引き回されている。
【００６８】
そして、これらの第２の温水配管３は、基板Ｂの盤体１３でＵターンして、さらに、この基板Ｂの盤体１３から各連結部３１を通って該基板Ｂの盤体１４，１５，１６に連続して引き回され、次いで基板Ｂ，Ｃ同士の突き合わせ部ＴＢＣを跨いで基板Ｂの盤体１６から基板Ｃの盤体１９に連続して引き回され、この基板Ｃにおいて、各連結部３１を通って基板１９，１８，１７に連続して引き回され、次いで基板Ｃ，Ｆ同士の突き合わせ部ＴＣＦを跨いで基板Ｃの盤体１７から基板Ｆの盤体１７に連続して引き回され、この基板Ｆにおいて、各連結部３１を通って基板１７，１８，１９に連続して引き回され、次いで基板Ｅ，Ｆ同士の突き合わせ部ＴＥＦを跨いで基板Ｆの盤体１９から基板Ｅの盤体１６に連続して引き回され、この基板Ｅにおいて、各連結部３１を通って基板１６，１５，１４，１３に連続して引き回され、終端がそれぞれヘッダー４に接続されている。
【００６９】
即ち、この床暖房マット１においては、この基板Ｅ，Ｄ，Ａ，Ｂに連続して引き回された第１の温水配管３を介して、基板Ｅ，Ｄ同士、基板Ｄ，Ａ同士、並びに基板Ａ，Ｂ同士が連結されており、基板Ｅ，Ｆ，Ｃ，Ｂに連続して引き回された第２の温水配管３を介して、基板Ｅ，Ｆ同士、基板Ｆ，Ｃ同士、並びに基板Ｃ，Ｂ同士が連結されている。
【００７０】
温水配管３を溝２，２’に収容しつつこのように引き回した後、基板Ａ〜Ｃの上面を連続して覆うように均熱シート５が配置され、この均熱シート５が各基板Ａ〜Ｃの上面に接着剤等により貼り付けられている。また、基板Ｄ〜Ｆの上面を連続して覆うように均熱シート６が配置され、この均熱シート６が各基板Ｄ〜Ｆの上面に接着剤等により貼り付けられている。従って、この実施の形態では、これらの均熱シート５，６によっても、基板Ａ，Ｂ同士、基板Ｂ，Ｃ同士、基板Ｄ，Ｅ同士及び基板Ｅ，Ｆ同士がそれぞれ連結されている。
【００７１】
なお、このように各基板Ａ〜Ｃの上面に均熱シート５を貼着することにより、基板Ａ〜Ｃを構成する盤体１０〜１９及びこれらの間の各小根太３０が連結されている。また、各基板Ｄ〜Ｆの上面に均熱シート６を貼着することにより、基板Ｄ〜Ｆを構成する盤体１０〜１９及びこれらの間の各小根太３０が連結されている。
【００７２】
均熱シート５，６の端部は、それぞれ、基板Ａ，Ｄ同士、基板Ｂ，Ｅ同士及び基板Ｃ，Ｆ同士の突き合わせ部ＴＡＤ，ＴＢＥ，ＴＣＦに臨んでおり、該突き合わせ部ＴＡＤ，ＴＢＥ，ＴＣＦにおいて、均熱シート５，６同士は非連続となっている。
【００７３】
このように構成された床暖房マット１の折り畳み手順は次の通りである。
【００７４】
まず、第３図のように床暖房マット１が展開された状態から、第１２図のように、基板Ａ，Ｂ同士の突き合わせ部ＴＡＢに沿って、該基板Ａ，Ｂ間で均熱シート５を谷折り（折り部が床暖房マット１の展開状態時における下面側に凸となるように折ること。以下、同様。）し、これらの基板Ａ，Ｂの上面（均熱シート５）同士を向い合わせるようにして、該基板Ａを基板Ｂ上に折り重ねる。また、基板Ｄ，Ｅ同士の突き合わせ部ＴＤＥに沿って、該基板Ｄ，Ｅ間で均熱シート６を谷折りし、これらの基板Ｄ，Ｅの上面（均熱シート６）同士を向い合わせるようにして、該基板Ｄを基板Ｅ上に折り重ねる。
【００７５】
この際、前述の通り、基板Ａ，Ｄ同士は第１の温水配管３を介して連結されているので、これらの基板Ａ，Ｄを一緒に（１工程にて）基板Ｂ，Ｅ上に折り重ねることができる。
【００７６】
さらに、基板Ｂ，Ｃ同士の突き合わせ部ＴＢＣに沿って、該基板Ｂ，Ｃ間で均熱シート５を谷折りし、これらの基板Ｂ，Ｃの上面（均熱シート５）同士を向い合わせるようにして、該基板Ｃを基板Ｂ上に折り重ねる。また、基板Ｅ，Ｆ同士の突き合わせ部ＴＥＦに沿って、該基板Ｅ，Ｆ間で均熱シート６を谷折りし、これらの基板Ｅ，Ｆの上面（均熱シート６）同士を向い合わせるようにして、該基板Ｆを基板Ｅ上に折り重ねる。
【００７７】
この際、基板Ｃ，Ｆ同士は第２の温水配管３を介して連結されているので、これらの基板Ｃ，Ｆも、一緒に（１工程にて）基板Ｂ，Ｅ上に折り重ねることができる。
【００７８】
第１３図は、このようにして基板Ａ，Ｄを基板Ｂ，Ｅ上に折り重ねると共に、基板Ｃ，Ｆを基板Ｂ，Ｅ上に折り重ねた後の、床暖房マット１の１次折り畳み体を示している。
【００７９】
この床暖房マット１においては、各基板Ａ，Ｃの短辺の長さは、基板Ｂの長辺の長さの半分よりも短いので、これらの基板Ａ，Ｃは、互いに重なり合うことなく、それぞれ基板Ｂにのみ重なっている。また、各基板Ｄ，Ｆの短辺の長さも、基板Ｅの長辺の長さの半分よりも短いので、これらの基板Ｄ，Ｆも、互いに重なり合うことなく、それぞれ基板Ｅにのみ重なっている。
【００８０】
なお、この実施の形態では、前述の通り、温水配管３のうち、基板Ａ，Ｂ同士の突き合わせ部ＴＡＢを跨ぐ部分、基板Ｂ，Ｃ同士の突き合わせ部ＴＢＣを跨ぐ部分、基板Ｄ，Ｅ同士の突き合わせ部ＴＤＥを跨ぐ部分、並びに基板Ｅ，Ｆ同士の突き合わせ部ＴＥＦを跨ぐ部分が、それぞれ、これらの突き合わせ部ＴＡＢ，ＴＢＣ，ＴＤＥ，ＴＥＦに沿って延在しているので、これらの突き合わせ部ＴＡＢ，ＴＢＣ，ＴＤＥ，ＴＥＦに沿って基板Ａ，Ｂ間、基板Ｂ，Ｃ間、基板Ｄ，Ｅ間及び基板Ｅ，Ｆ間を谷折りした際には、第１１図（ａ）〜（ｃ）の通り、温水配管３は、これらの突き合わせ部ＴＡＢ，ＴＢＣ，ＴＤＥ，ＴＥＦを跨ぐ部分がその軸心回りに捩れるようにして曲がる。
【００８１】
これにより、基板Ａ，Ｂ間、基板Ｂ，Ｃ間、基板Ｄ，Ｅ間及び基板Ｅ，Ｆ間の谷折りに伴い、温水配管３が座屈して破損することが防止される。
【００８２】
次に、第１４図に示すように、基板Ａ，Ｄ同士の突き合わせ部ＴＡＤに沿って、該基板Ａ，Ｄ間を山折り（折り部が床暖房マット１の展開状態時における上面側に凸となるように折ること。以下、同様。）すると共に、基板Ｃ，Ｆ同士の突き合わせ部ＴＣＦに沿って、該基板Ｃ，Ｆ間を山折りし、これらの基板Ａ，Ｄ同士及び基板Ｃ，Ｆ同士を、それぞれ、各々の下面同士を向い合わせるようにして折り重ねる。この際、該基板Ａ，Ｄ同士が折り重なったものと、該基板Ｃ，Ｆ同士が折り重なったものとを挟んで、基板Ｂ，Ｅが各々の上面側を向い合わせて対面する。
【００８３】
これにより、第１，２図に示す床暖房マット１の折り畳み体が形成される。
【００８４】
なお、この実施の形態では、前述の通り、温水配管３のうち、該基板Ａ，Ｄ同士の突き合わせ部ＴＡＤを跨ぐ部分、並びに基板Ｃ，Ｆ同士の突き合わせ部ＴＣＦを跨ぐ部分も、それぞれ、これらの突き合わせ部ＴＡＤ，ＴＣＦに沿って延在しているので、これらの突き合わせ部ＴＡＤ，ＴＣＦに沿って基板Ａ，Ｄ間並びに基板Ｃ，Ｆ間を山折りした際には、第９図（ａ）〜（ｃ）の通り、温水配管３は、これらの突き合わせ部ＴＡＤ，ＴＣＦを跨ぐ部分がその軸心回りに捩れるようにして曲がる。これにより、基板Ａ，Ｄ間並びに基板Ｃ，Ｆ間の山折りに伴い、温水配管３が座屈して破損することも防止される。
【００８５】
このようにして折り畳まれた床暖房マット１の折り畳み体にあっては、基板Ｂ，Ｅの下面がこの折り畳み体の上側及び下側に露呈した状態となっている。
【００８６】
次に、この床暖房マット１の折り畳み体の展開手順について説明する。
【００８７】
まず、この床暖房マット１の折り畳み体を施工現場に搬入し、ヘッダー４が設けられた基板Ｅが最下層となるように、この折り畳み体を床上に置く。そして、このヘッダー４と施工現場の温水コンセント（図示略）との位置を合わせを行う。
【００８８】
次に、前述の折り畳み手順とは逆に、第１４図から第１３図のように、基板Ｂに基板Ａ，Ｄが折り重なったものと、基板Ｅに基板Ｃ，Ｆが折り重なったものとを、これらの基板Ａ，Ｄ間及び基板Ｃ，Ｆ間の山折りを解く方向に広げ、該基板Ｂを床上に配置する。
【００８９】
次いで、第１３図から第１２図のように、基板Ｂ上から、基板Ａ，Ｂ間及び基板Ｂ，Ｃ間の谷折りを解く方向に該基板Ａ，Ｄを広げると共に、基板Ｅ上から、基板Ｄ，Ｅ間及び基板Ｅ，Ｆ間の谷折りを解く方向に該基板Ｄ，Ｆを広げ、これらの基板Ａ，Ｄ，Ｃ，Ｆをそれぞれ床上に配置する。この際、基板Ａ，Ｄ同士は第１の温水配管３を介して連結されているので、これらの基板Ａ，Ｄを一緒に（１工程にて）広げることができる。また、基板Ｃ，Ｆ同士も第２の温水配管３を介して連結されているので、これらの基板Ｃ，Ｆも一緒に（１工程にて）広げることができる。
【００９０】
これにより、全ての基板Ａ〜Ｆが床上に敷設される。
【００９１】
以上のように、この床暖房マット１の折り畳み体にあっては、全部で３回、各基板Ａ〜Ｆ間の折りを解くように各基板Ａ〜Ｆを広げるだけで、床暖房マット１の展開が完了する。そのため、この床暖房マット１の敷設作業を容易に行うことができる。
【００９２】
また、この床暖房マット１の折り畳み体にあっては、この折り畳み体を床上に置いた状態で展開を開始すると、必ず、次に広げる基板Ａ〜Ｆの下面がこの折り畳み体の上側に露呈する。そのため、各基板Ａ〜Ｆの下面に接着材又は粘着材を塗る度に各基板Ａ〜Ｆを広げるようにして施工することができる。これにより、床暖房マット１の敷設作業を効率よく行うことが可能である。
【００９３】
なお、この床暖房マット１にあっては、基板Ｅの長辺方向の中央付近の盤体１２にヘッダー４が配置され、このヘッダー４から、第１の温水配管３が該基板Ｅの基板Ｄ側の略半分と基板Ｄ，Ａを経由して基板Ｂの長辺方向の中央付近の盤体１２まで連続して引き回されると共に、第２の温水配管３が、該基板Ｅの基板Ｆ側の略半分と基板Ｆ，Ｃを経由して基板Ｂの長辺方向の中央付近の盤体１３まで連続して引き回されている。
【００９４】
従って、これらの第１の温水配管３と第２の温水配管３とは、長さはほぼ同程度である。これにより、床暖房マット１の全面にわたって温度が略均一となる。また、各温水配管３の引き回しも容易である。
【００９５】
［第２の実施の形態に係る温調マットの折り畳み体としての床暖房マット１Ａの折り畳み体］
第１５図は第２の実施の形態に係る温調マットの折り畳み体としての床暖房マット１Ａの折り畳み体の斜視図、第１６図はこの床暖房マット１Ａの展開時の斜視図、第１７図〜第１９図はそれぞれこの床暖房マット１Ａの折り畳み途中時の斜視図である。
【００９６】
この床暖房マット１Ａも、第１５図の通り、基板Ａ〜Ｃがこの順に一列に配列され、基板Ｄ〜Ｆがこの順に、且つ該基板Ａ〜Ｃに隣接するように一列に配列されてなる。各基板Ａ〜Ｆの構成、各基板Ａ〜Ｆの上面に延設された溝２及びこれらの基板Ａ〜Ｆ同士の突き合わせ部ＴＡＢ，ＴＢＣ，ＴＤＥ，ＴＥＦ，ＴＡＤ，ＴＣＦに跨る溝２’（第１５〜１９図では図示略。）の構成及び配置、並びにこれらの溝２，２’に収容されるようにして引き回された各温水配管３の配置は、前述の第１の実施の形態の床暖房マット１と同様である。
【００９７】
即ち、図示は省略するが、この床暖房マット１Ａにおいても、基板Ｅ，Ｄ，Ａ，Ｂに連続して第１の温水配管が引き回され、この第１の温水配管３を介して、基板Ｅ，Ｄ同士、基板Ｄ，Ａ同士、並びに基板Ａ，Ｂ同士が連結されていると共に、基板Ｅ，Ｆ，Ｃ，Ｂに連続して第２の温水配管３が引き回され、この第２の温水配管３を介して、基板Ｅ，Ｆ同士、基板Ｆ，Ｃ同士、並びに基板Ｃ，Ｂ同士が連結されている。
【００９８】
この床暖房マット１Ａにおいては、基板Ａ，Ｄの上面を連続して覆うように均熱シート８ＡＤが配置され、この均熱シート８ＡＤが該基板Ａ，Ｄの上面にそれぞれ接着剤等により貼り付けられている。従って、この均熱シート８ＡＤによっても、基板Ａ，Ｄ同士が連結されている。
【００９９】
また、基板Ｃ，Ｆの上面を連続して覆うように均熱シート８ＣＦが配置され、この均熱シート８ＤＦが該基板Ｃ，Ｆの上面にそれぞれ接着剤等により貼り付けられている。従って、この均熱シート８ＣＦによっても、基板Ｃ，Ｆ同士が連結されている。
【０１００】
各基板Ｂ，Ｅの上面にはそれぞれ均熱シート８Ｂ，８Ｅが配置され、これらの均熱シート８Ｂ，８Ｅがそれぞれ各基板Ｂ，Ｅの上面に接着剤等により貼り付けられている。
【０１０１】
これらの均熱シート８ＡＤ，８ＣＦ，８Ｂ，８Ｅは互いに非連続となっている。均熱シート８ＡＤと均熱シート８Ｂとは基板Ａ，Ｂ間の突き合わせ部ＴＡＢにおいて断絶しており、この均熱シート８ＡＤと均熱シート８Ｅとは基板Ｄ，Ｅ間の突き合わせ部ＴＤＥにおいて断絶している。また、均熱シート８ＣＦと均熱シート８Ｂとは基板Ｂ，Ｃ間の突き合わせ部ＴＢＣにおいて断絶しており、この均熱シート８ＣＦと均熱シート８Ｅとは基板Ｅ，Ｆ間の突き合わせ部ＴＥＦにおいて断絶している。
【０１０２】
なお、この実施の形態では、基板Ａ，Ｂの下面同士、基板Ｂ，Ｃの下面同士、基板Ｄ，Ｅの下面同士及び基板Ｅ，Ｆの下面同士が、それぞれ、これらの突き合わせ部ＴＡＢ，ＴＢＣ，ＴＤＥ，ＴＥＦを跨いで双方の下面に連続して貼り付けられた屈曲可能な連結シート７（図示略）により連結されている。
【０１０３】
この実施の形態では、基板Ａ，Ｄの下面同士及び基板Ｃ，Ｆの下面同士は非連結となっている。
【０１０４】
この床暖房マット１Ａのその他の構成は、前述の第１の実施の形態の床暖房マット１と同様であり、第１５〜１９図において第１〜１４図と同一符号は同一部分を示している。
【０１０５】
この床暖房マット１Ａを折り畳む場合には、まず、第１６図のように床暖房マット１Ａが展開された状態から、第１７図のように、基板Ａ，Ｂ間をこれらの突き合わせ部ＴＡＢに沿って山折りし、これらの基板Ａ，Ｂの下面同士を向い合わせるようにして、該基板Ａを基板Ｂの下面側に折り重ねる。また、基板Ｄ，Ｅ間をこれらの突き合わせ部ＴＤＥに沿って山折りし、これらの基板Ｄ，Ｅの下面同士を向い合わせるようにして、該基板Ｄを基板Ｅの下面側に折り重ねる。
【０１０６】
この際、前述の通り、基板Ａ，Ｄ同士は第１の温水配管３を介して連結されているので、これらの基板Ａ，Ｄを一緒に（１工程にて）基板Ｂ，Ｅの下面側に折り重ねることができる。
【０１０７】
さらに、基板Ｂ，Ｃ間をこれらの突き合わせ部ＴＢＣに沿って山折りし、これらの基板Ｂ，Ｃの下面同士を向い合わせるようにして、該基板Ｃを基板Ｂの下面側に折り重ねる。また、基板Ｅ，Ｆ間をこれらの突き合わせ部ＴＥＦに沿って山折りし、これらの基板Ｅ，Ｆの下面同士を向い合わせるようにして、該基板Ｆを基板Ｅの下面側に折り重ねる。
【０１０８】
この際、基板Ｃ，Ｆ同士は第２の温水配管３を介して連結されているので、これらの基板Ｃ，Ｆも、一緒に（１工程にて）基板Ｂ，Ｅの下面側に折り重ねることができる。
【０１０９】
第１８図は、このようにして基板Ａ，Ｄを基板Ｂ，Ｅの下面側に折り重ねると共に、基板Ｃ，Ｆを基板Ｂ，Ｅの下面側に折り重ねた後の、床暖房マット１Ａの１次折り畳み体を示している。
【０１１０】
この床暖房マット１Ａにおいても、各基板Ａ，Ｃの短辺の長さは、基板Ｂの長辺の長さの半分よりも短いので、これらの基板Ａ，Ｃは、互いに重なり合うことなく、それぞれ基板Ｂにのみ重なっている。また、各基板Ｄ，Ｆの短辺の長さも、基板Ｅの長辺の長さの半分よりも短いので、これらの基板Ｄ，Ｆも、互いに重なり合うことなく、それぞれ基板Ｅにのみ重なっている。
【０１１１】
なお、この実施の形態でも、前述の第１の実施の形態の床暖房マット１と同様に、温水配管３のうち、基板Ａ，Ｂ同士の突き合わせ部ＴＡＢを跨ぐ部分、基板Ｂ，Ｃ同士の突き合わせ部ＴＢＣを跨ぐ部分、基板Ｄ，Ｅ同士の突き合わせ部ＴＤＥを跨ぐ部分、並びに基板Ｅ，Ｆ同士の突き合わせ部ＴＥＦを跨ぐ部分が、それぞれ、これらの突き合わせ部ＴＡＢ，ＴＢＣ，ＴＤＥ，ＴＥＦに沿って延在しているので、これらの突き合わせ部ＴＡＢ，ＴＢＣ，ＴＤＥ，ＴＥＦに沿って基板Ａ，Ｂ間、基板Ｂ，Ｃ間、基板Ｄ，Ｅ間及び基板Ｅ，Ｆ間を山折りした際には、温水配管３は、これらの突き合わせ部ＴＡＢ，ＴＢＣ，ＴＤＥ，ＴＥＦを跨ぐ部分がその軸心回りに捩れるようにして曲がる。
【０１１２】
これにより、基板Ａ，Ｂ間、基板Ｂ，Ｃ間、基板Ｄ，Ｅ間及び基板Ｅ，Ｆ間の山折りに伴い、温水配管３が座屈して破損することが防止される。
【０１１３】
次に、第１９図に示すように、基板Ａ，Ｄ同士の突き合わせ部ＴＡＤに沿って、該基板Ａ，Ｄ間で均熱シート８ＡＤを谷折りし、これらの基板Ａ，Ｄの上面同士（均熱シート８ＡＤの一半側と他半側）を向い合わせるようにして、該基板Ａ，Ｄ同士を折り重ねると共に、基板Ｃ，Ｆ同士の突き合わせ部ＴＣＦに沿って、該基板Ｃ，Ｆ間で均熱シート８ＣＦを谷折りし、これらの基板Ｃ，Ｆの上面同士（均熱シート８ＣＦの一半側と他半側）を向い合わせるようにして、該基板Ｃ，Ｆ同士を折り重ねる。この際、該基板Ａ，Ｄ同士が折り重なったものと、該基板Ｃ，Ｆ同士が折り重なったものとを挟んで、基板Ｂ，Ｅが各々の下面側を向い合わせて対面する。
【０１１４】
これにより、第１５図に示す床暖房マット１Ａの折り畳み体が形成される。
【０１１５】
なお、この実施の形態でも、前述の第１の実施の形態の床暖房マット１と同様に、温水配管３のうち、該基板Ａ，Ｄ同士の突き合わせ部ＴＡＤを跨ぐ部分、並びに基板Ｃ，Ｆ同士の突き合わせ部ＴＣＦを跨ぐ部分も、それぞれ、これらの突き合わせ部ＴＡＤ，ＴＣＦに沿って延在しているので、これらの突き合わせ部ＴＡＤ，ＴＣＦに沿って基板Ａ，Ｄ間並びに基板Ｃ，Ｆ間を谷折りした際には、温水配管３は、これらの突き合わせ部ＴＡＤ，ＴＣＦを跨ぐ部分がその軸心回りに捩れるようにして曲がる。これにより、基板Ａ，Ｄ間並びに基板Ｃ，Ｆ間の谷折りに伴い、温水配管３が座屈して破損することも防止される。
【０１１６】
次に、この床暖房マット１Ａの折り畳み体の展開手順について説明する。
【０１１７】
まず、前述の折り畳み手順とは逆に、第１９図から第１８図のように、基板Ｂに基板Ａ，Ｄが折り重なったものと、基板Ｅに基板Ｃ，Ｆが折り重なったものとを、これらの基板Ａ，Ｄ間及び基板Ｃ，Ｆ間の谷折りを解く方向に広げる。
【０１１８】
次いで、第１８図から第１７図のように、基板Ｂの下面側から、基板Ａ，Ｂ間及び基板Ｂ，Ｃ間の山折りを解く方向に該基板Ａ，Ｄを広げると共に、基板Ｅの下面側から、基板Ｄ，Ｅ間及び基板Ｅ，Ｆ間の山折りを解く方向に該基板Ｄ，Ｆを広げる。この際、基板Ａ，Ｄ同士は第１の温水配管３を介して連結されているので、これらの基板Ａ，Ｄを一緒に（１工程にて）広げることができる。また、基板Ｃ，Ｆ同士も第２の温水配管３を介して連結されているので、これらの基板Ｃ，Ｆも一緒に（１工程にて）広げることができる。
【０１１９】
これにより、全ての基板Ａ〜Ｆの展開が完了する。
【０１２０】
以上のように、この床暖房マット１Ａの折り畳み体にあっても、全部で３回、各基板Ａ〜Ｆ間の折りを解くように各基板Ａ〜Ｆを広げるだけで、床暖房マット１Ａの展開が完了する。そのため、この床暖房マット１Ａの敷設作業を容易に行うことができる。
【０１２１】
［材質等］
上記各部材の材質の一例として次のものが挙げられるが、これらに限定されるものではない。
【０１２２】
基板としては例えば発泡ポリプロピレン、発泡ポリスチレン、発泡ポリエチレン、発泡ポリウレタン等の発泡合成樹脂のほか木材等を用いることができる。発泡合成樹脂としては、断熱性の点から、内部の気泡が独立気泡となっているものが好ましい。
【０１２３】
小根太としては、木材や、釘打ち可能な合成木材又は合成樹脂が好ましい。
【０１２４】
均熱シートとしては、アルミ又は銅の金属箔が好ましい。
【０１２５】
温水配管としては、可撓性のポリエチレン等の合成樹脂チューブや銅パイプが例示される。
【０１２６】
［寸法等］
本発明においては、折り畳み体とされる温調マットの大きさに制限はないが、特に大型の温調マットを用いた場合に、本発明の作用効果が顕著に発揮される。
【０１２７】
例えば、本発明においては、温調マットの折り畳み体の上下の面に露呈する基板Ｂ，Ｅの一辺の長さが５００ｍｍ以上、特に８００ｍｍ以上の温調マットであることが好ましい。
【０１２８】
通常は、上記の実施の形態のように、温調マットのうち基板Ａ，Ｂ，Ｃから構成される部分と、基板Ｄ，Ｅ，Ｆから構成される部分とは、同一形状となっているが、これらが互いに異なる形状となっていてもよい。基板Ａ，Ｂ，Ｃ側と基板Ｄ，Ｅ，Ｆ側とを互いに異なる形状とする場合には、ヘッダーが配置される側（上記の実施の形態では基板Ｄ，Ｅ，Ｆ側）を、ヘッダーが配置されない側（上記の実施の形態では基板Ａ，Ｂ，Ｃ側）よりも大きくすることが好ましい。これらを異なる形状とすることにより、ヘッダーから分岐される温調配管の経路を変化させることができ、加熱性能を制御することも可能である。
【０１２９】
［その他の構成］
上記の実施の形態は、いずれも本発明の一例を示すものであり、本発明は図示の構成に限定されない。
【０１３０】
例えば、上記の各実施の形態では、各基板Ａ〜Ｆは、複数の帯状の盤体と複数の小根太とを交互に配列してなるものであるが、各基板Ａ〜Ｂの構成はこれに限定されるものではない。本発明においては、小根太は省略されてもよい。
【０１３１】
第１の実施の形態の床暖房マット１では基板Ａ，Ｄの下面同士及び基板Ｃ，Ｆの下面同士がそれぞれ屈曲可能な連結シート７により連結され、第２の実施の形態の床暖房マット１Ａでは基板Ａ，Ｂの下面同士、基板Ｂ，Ｃの下面同士、基板Ｄ，Ｅの下面同士及び基板Ｅ，Ｆの下面同士がそれぞれ屈曲可能な連結シート７により連結されているが、この連結シート７は省略されてもよい。なお、このように、これらの基板の下面同士が屈曲可能な連結シート７により連結されることにより、各床暖房マット１，１Ａの山折り部における基板同士の離反が防止ないし抑制される。本発明では、連結シート７以外の屈曲可能な連結手段によりこれらの基板同士が連結されてもよい。
【０１３２】
上記の各実施の形態では、基板Ｅにヘッダー４が配置され、このヘッダー４から、第１の温水配管３が基板Ｅ，Ｄ，Ａ，Ｂに連続して配設され、第２の温調用配管３が、基板Ｅ，Ｆ，Ｃ，Ｂに連続して配設されているが、ヘッダー４の配置及び温水配管３の配設ルートはこれに限定されない。
【０１３３】
本発明においては、各基板に、１系統の温水配管３が配設されてもよく、２系統以上の温水配管３が配設されてもよい。
【０１３４】
上記の各実施の形態では温水配管３が直に各溝２内に収容されているが、各溝２の内面から各基板の上面にかけて熱伝導部材を配材し、温水配管３を、この熱伝導部材に接するように溝２内に収容するよう構成してもよい。このように構成することにより、温水配管３からの熱を、この熱伝導部材を介してより効率よく均熱シートに伝えることができる。
【０１３５】
図示は省略するが、上記の各実施の形態において、床暖房マット１，１Ａの折り畳み体の側面に露出した温水配管３を保護するために、この露出した温水配管３を保護材で被覆しておいてもよい。この保護材の材質に特に制限はなく、例えば透明フィルム、低粘着フィルム、伸縮性フィルム等を用いることができる。また、この保護材により、配管露出部の全部を被覆してもよく、このうちの一部を被覆してもよい。このような保護材で各配管露出部を被覆した場合には、床暖房マット１，１Ａを展開する前にこの保護材を剥離させればよい。
【０１３６】
上記の実施の形態は、床暖房マットに関するものであるが、本発明の温調マットは、壁や天井等に配置されてもよい。また、温水ではなく、冷水を配管に通水して冷房するようにしてもよい。水以外のオイル、不凍液等の熱媒体を流通させてもよい。
【図面の簡単な説明】
【０１３７】
【図１】第１の実施の形態に係る温調マットの折り畳み体としての床暖房マット１の折り畳み体の斜視図である。
【図２】図１のII側から見た床暖房マット１の折り畳み体の斜視図である。
【図３】床暖房マット１の展開時の斜視図である。
【図４】展開した床暖房マット１の上面図である。
【図５】展開した床暖房マット１の下面図である。
【図６】図４のVI−VI線に沿う断面図である。
【図７】図４のVII部分の拡大図である。
【図８】図７のVIII部分の拡大図である。
【図９】図８のIX−IX線に沿う断面図である。
【図１０】図４のＸ部分の拡大図である。
【図１１】図１０のXI−XI線に沿う断面図である。
【図１２】床暖房マット１の折り畳み途中時の斜視図である。
【図１３】床暖房マット１の折り畳み途中時の斜視図である。
【図１４】床暖房マット１の折り畳み途中時の斜視図である。
【図１５】第２の実施の形態に係る温調マットの折り畳み体としての床暖房マット１Ａの折り畳み体の斜視図である。
【図１６】床暖房マット１Ａの展開時の斜視図である。
【図１７】床暖房マット１Ａの折り畳み途中時の斜視図である。
【図１８】床暖房マット１Ａの折り畳み途中時の斜視図である。
【図１９】床暖房マット１Ａの折り畳み途中時の斜視図である。
【符号の説明】
【０１３８】
Ａ〜Ｆ  基板
ＴＡＢ，ＴＢＣ，ＴＤＥ，ＴＥＦ，ＴＡＤ，ＴＢＥ，ＴＣＦ  突き合わせ部
１，１Ａ  床暖房マット
２，２’  溝
３  温水配管
４  ヘッダー
５，６，８ＡＤ，８ＣＦ，８Ｂ，８Ｅ  均熱シート
１０〜１９  盤体
３０  小根太
３１  連結部
【図１】
2008309376.tif 000003
【図２】
2008309376.tif 000004
【図３】
2008309376.tif 000005
【図４】
2008309376.tif 000006
【図５】
2008309376.tif 000007
【図６】
2008309376.tif 000008
【図７】
2008309376.tif 000009
【図８】
2008309376.tif 000010
【図９】
2008309376.tif 000011
【図１０】
2008309376.tif 000012
【図１１】
2008309376.tif 000013
【図１２】
2008309376.tif 000014
【図１３】
2008309376.tif 000015
【図１４】
2008309376.tif 000016
【図１５】
2008309376.tif 000017
【図１６】
2008309376.tif 000018
【図１７】
2008309376.tif 000019
【図１８】
2008309376.tif 000020
【図１９】
2008309376.tif 000021